(57)【要約】【課題】外部信号と駆動電圧の入力順序に係わらず、コントローラＩＣ（制御部）が破損されにくい、液晶表示装置を提供する。【解決手段】各信号線１７および各走査線１８を有する液晶パネル１１と、各信号線１７を駆動する信号線駆動部１５と、各走査線１８を駆動する走査線駆動部１６と、スイッチ群３を介して各外部信号が入力され、信号線駆動部１５および走査線駆動部１６に対し、各タイミング信号を出力する制御部１２と、電源電圧が入力され、スイッチ群３および制御部１２に対し駆動電圧を出力する電源部１３とを備え、制御部１２へ各外部信号が入力される前に、制御部１２へ駆動電圧が入力される様に、スイッチ群３は構成されている。【選択図】図１
2007256587.tif 000002
【特許請求の範囲】
【請求項１】
各信号線および各走査線を有する液晶パネルと、各信号線を駆動する信号線駆動部と、各
走査線を駆動する走査線駆動部と、スイッチ群を介して各外部信号が入力され、前記信号
線駆動部および前記走査線駆動部に対し、各タイミング信号を出力する制御部と、電源電
圧が入力され、前記スイッチ群および前記制御部に対し駆動電圧を出力する電源部とを備
え、前記制御部へ各外部信号が入力される前に、前記制御部へ前記駆動電圧が入力される
様に、前記スイッチ群は構成されている事を特徴とする液晶表示装置。
【請求項２】
前記スイッチ群は複数のスイッチからなり、各スイッチの入力側は各外部信号が入力され
各スイッチの出力側は前記制御部の各入力端子に接続され、各スイッチの制御端子は前記
駆動電圧が入力される事を特徴とする請求項１の液晶表示装置。
【請求項３】
前記制御部において、前記駆動電圧が入力される各接続部が設けられ、前記制御部の各入
力端子と各接続部との間に、各静電気保護回路が設けられた事を特徴とする請求項２の液
晶表示装置。
【請求項４】
各接続部を並列に接続する第１線が設けられ、各スイッチの制御端子を並列に接続する第
２線が設けられ、前記第１線の端は、前記電源部が出力する前記駆動電圧の出力端子に接
続され、前記第２線の端は、前記第１線の所定部分に接続された事を特徴とする請求項３
の液晶表示装置。
【請求項５】
前記スイッチ群と前記制御部とを、１つの集積回路素子にて構成した事を特徴とする請求
項１の液晶表示装置。
【発明の詳細な説明】
【技術分野】
【０００１】
本発明は液晶表示装置に関する。
【背景技術】
【０００２】
従来、この種の装置は例えば、特許文献１に示されている。特許文献１の図１によると
液晶パネル１１と、ゲートドライバ１２と、ソースドライバ１３と、コントロールＩＣ１
４と、電源ＩＣ１５とからなる液晶表示装置が示されている。
【０００３】
電源ＩＣ１５は、ソースドライバ１３と、コントロールＩＣ１４と、ゲートドライバ１
２に対し、共に、駆動電圧３．３ボルトを出力している。また、コントロールＩＣ１４は
各外部信号が入力され、ソースドライバ１３と、ゲートドライバ１２に対し、各タイミン
グ信号を出力している。図示されていないが、コントロールＩＣ１４において、外部信号
の入力端子と、駆動電圧の入力端子との間に、静電気保護回路が設けられている。
【特許文献１】特開２００４−４５７４８号公報
【発明の開示】
【発明が解決しようとする課題】
【０００４】
この装置では、コントロールＩＣ１４が、破損され易い、欠点がある。本発明者が、そ
の原因を調査したところ、コントロールＩＣ１４に対し、最初に、各外部信号が入力され
た後に、駆動電圧が入力されるためである、事が分かった。例えば、最初に、静電気保護
回路に対し、外部信号が入力した場合（この時、駆動電圧の入力端子はゼロボルト）、静
電気保護回路に過電流が流れ、破損される。
【０００５】
それ故、本発明はこの様な従来の欠点を考慮し、外部信号と駆動電圧の入力順序に係わ
らず、コントローラＩＣ（制御部）が破損されにくい、液晶表示装置を提供する。
【課題を解決するための手段】
【０００６】
上記課題を解決するために、請求項１の本発明では、各信号線および各走査線を有する
液晶パネルと、各信号線を駆動する信号線駆動部と、各走査線を駆動する走査線駆動部と
、スイッチ群を介して各外部信号が入力され、前記信号線駆動部および前記走査線駆動部
に対し、各タイミング信号を出力する制御部と、電源電圧が入力され、前記スイッチ群お
よび前記制御部に対し駆動電圧を出力する電源部とを備え、前記制御部へ各外部信号が入
力される前に、前記制御部へ前記駆動電圧が入力される様に、前記スイッチ群は構成され
ている。
【０００７】
請求項２の本発明では、前記スイッチ群は複数のスイッチからなり、各スイッチの入力
側は各外部信号が入力され各スイッチの出力側は前記制御部の各入力端子に接続され、各
スイッチの制御端子は前記駆動電圧が入力される。
【０００８】
請求項３の本発明では、前記制御部において、前記駆動電圧が入力される各接続部が設
けられ、前記制御部の各入力端子と各接続部との間に、各静電気保護回路が設けられた。
【０００９】
請求項４の本発明では、各接続部を並列に接続する第１線が設けられ、各スイッチの制
御端子を並列に接続する第２線が設けられ、前記第１線の端は、前記電源部が出力する前
記駆動電圧の出力端子に接続され、前記第２線の端は前記第１線の所定部分に接続された
。
【００１０】
請求項５の本発明では、前記スイッチ群と前記制御部とを、１つの集積回路素子にて構
成した。
【発明の効果】
【００１１】
請求項１の様に、制御部へ各外部信号が入力される前に、制御部へ前記駆動電圧が入力
される様に、スイッチ群は構成されている。その結果、制御部内の各部品は、駆動電圧が
先に印加されているので、制御部の破損を防止できる。
【００１２】
請求項２の様に、スイッチ群は複数のスイッチからなり、各スイッチの入力側は各外部
信号が入力され、各スイッチの出力側は制御部の各入力端子に接続され、各スイッチの制
御端子は駆動電圧が入力される。その結果、各外部信号が駆動電圧より、先に入力されて
も、各スイッチはオフされているので、制御部において、各外部信号が駆動電圧よりも、
先に印加される事を防止できる。
【００１３】
請求項３の様に、制御部において、駆動電圧が入力される各接続部が設けられ、制御部
の各入力端子と各接続部との間に、各静電気保護回路が設けられた。その結果、各入力端
子毎に各静電気保護回路が設けられるので、静電気対策が十分となる。また、請求項２の
様に、各外部信号に比べ、各接続部に駆動電圧が先に印加されるので、過電流を防止し、
各静電気保護回路の破損を防止できる。
【００１４】
請求項４の様に、各接続部を並列に接続する第１線が設けられ、各スイッチの制御端子
を並列に接続する第２線が設けられ、第１線の端は、電源部が出力する駆動電圧の出力端
子に接続され、第２線の端は、第１線の所定部分に接続された。その結果、制御部におい
て、各外部信号が駆動電圧よりも、先に印加される事を、より確実に防止できる。
【００１５】
請求項５の様に、スイッチ群と制御部とを、１つの集積回路素子にて構成する事により
両者を別々に（ディスクリートに）設ける場合に比べ、コストが安くなり、配線作業が容
易になる。
【発明を実施するための最良の形態】
【００１６】
以下に、図面と実施例により、本発明を実施するための最良の形態を詳細に説明する。
【実施例】
【００１７】
以下、図１ないし図４に従い、本実施例に係る液晶表示装置１を説明する。図１は液晶
表示装置１を示すブロック図、図２は液晶表示装置１に用いられる静電気保護回路の回路
図、図３は液晶表示装置１に用いられる制御部１２のブロック図、図４は液晶表示装置１
に用いられる電源部１３のブロック図である。
【００１８】
図１において、液晶表示装置１は、入力部２と、スイッチ群３と、インバータ回路４と
、光源５と、液晶パネル１１と、制御部１２と、電源部１３とガンマ補正部（図示せず）
と、複数個の信号線駆動部１５と、複数個の走査線駆動部１６等からなる。
【００１９】
液晶パネル１１は例えば、下ガラス基板上に、複数個設けられた各信号線１７と、各走
査線１８と、それらの交点近傍に設けられたＴＦＴと、ＴＦＴに接続された画素電極など
を有する。液晶パネル１１は、上ガラス基板に設けられた共通電極と、下ガラス基板およ
び上ガラス基板との間に設けられた液晶（共に図示せず）等を有する。
【００２０】
信号線駆動部１５は各信号線１７を駆動するドライバである。走査線駆動部１６は各走
査線１８を駆動するドライバである。
【００２１】
インバータ回路４の入力側は、入力部２に接続され、電源電圧ＶＩＮが入力される。光
源５は例えば、冷陰極管などからなり、インバータ回路４の出力側に接続されている。液
晶パネル１１の背面側に、導光板（図示せず）が設けられている。光源５は、導光板の側
面に近接して設けられている。光源５からの光は、導光板を通り、液晶パネル１１の背面
を照光する様に、設けられている。
【００２２】
図１において、入力部２は例えばコネクタ等からなる。入力部２の入力側は、図示しな
い、コンピュータ、テレビジョン装置、ビデオ再生装置、ＤＶＤ再生装置、ナビゲーショ
ン本体等から送られた、各外部信号Ｓ１が入力される。各外部信号Ｓ１は、例えば、デー
タイネーブル信号ＤＥと、ＲＧＢ各６ビットのデジタル画像データＲＤ，ＧＤ，ＢＤと、
ドットクロック信号ＤＯＴＣＬＫ、垂直同期信号ＶＳ、水平同期信号ＨＳ等である。
【００２３】
特定信号Ｘは、データイネーブル信号ＤＥまたはドットクロック信号ＤＯＴＣＬＫまた
は垂直同期信号ＶＳまたは水平同期信号ＨＳの中の、少なくとも１つの信号である。
【００２４】
入力部２と、制御部１２との間に、スイッチ群３が設けられている。制御部１２は、信
号線駆動部１５に対し、タイミング信号Ｓ２を出力する。制御部１２は、走査線駆動部１
６に対し、タイミング信号Ｓ３を出力する。
【００２５】
即ち、制御部１２は、入力部２およびスイッチ群３を介して、各外部信号Ｓ１が入力さ
れ、信号線駆動部１５および走査線駆動部１６に対し、各タイミング信号Ｓ２，Ｓ３を出
力する。
【００２６】
電源部１３（後述）は、電源電圧ＶＩＮが入力されると、スイッチ群３および制御部１
２に対し、共に、駆動電圧Ｖ１（例えば、直流３．３ボルト）を出力するものである。
【００２７】
スイッチ群３は例えば、５個のスイッチ（ＭＯＳ  ＦＥＴ）３ａ，３ｂ，３ｃ，３ｄ，
３ｅからなる。各スイッチ３ａ〜３ｅの入力側は、各外部信号ＤＥと、ＲＤ，ＧＤ，ＢＤ
と、ＤＯＴＣＬＫと、ＶＳと、ＨＳとが入力される。
【００２８】
各スイッチ３ａ〜３ｅの出力側は、制御部の各入力端子３４，３５，３６，３２，３３
に接続されている。
【００２９】
各スイッチ３ａ〜３ｅの各制御端子（例えば、ＭＯＳ  ＦＥＴのゲート）は、駆動電圧
Ｖ１が入力される。この様に構成する事により、制御部１２へ各外部信号Ｓ１が入力する
前に、制御部１２へ駆動電圧Ｖ１が入力される様に、スイッチ群３は構成されている。
【００３０】
図２に示す様に、制御部２において、駆動電圧Ｖ１が入力される各接続部６ａ〜６ｅが
設けられている（図２では、接続部６ａのみを図示）。制御部１２の各入力端子３４，３
５，３６，３２，３３と、各接続部６ａ，６ｂ，６ｃ，６ｄ，６ｅとの間には、各静電気
保護回路７ａ〜７ｅが設けられている（図２では、静電気保護回路７ａのみを図示）。
【００３１】
図２において、ダイオード８１，８２の直列回路の１端は接地され、他端は、線８３に
接続されている。入力端子３４は、ダイオード８１，８２の接続点に接続されている。ダ
イオード８４，８５の直列回路の１端は接地され、他端は、線８３に接続されている。
【００３２】
抵抗８６は、１端がダイオード８１，８２の接続点に接続され、他端がダイオード８４
と８５の接続点に接続されている。
【００３３】
ＭＯＳ  ＦＥＴ８７のソースは、線８３に接続され、ドレインは線８８に接続され、ゲ
ートは線８９に接続されている。
【００３４】
ＭＯＳ  ＦＥＴ９０のソースは、接地され、ドレインは線８８に接続され、ゲートは線
８９に接続されている。
【００３５】
線８８の他端は、出力端子３４ａに接続されている。線８９の他端は、ダイオード８４
、８５の接続点に接続されている。これらの部品６ａ，３４，８１，８２，８３，８４，
８５，８６，８７，８８，８９，９０，３４ａ等により、静電気保護回路７ａは構成され
ている。
【００３６】
静電気保護回路７ｂ，７ｃ，７ｄ，７ｅは、静電気保護回路７ａと実質的に同一の回路
に構成されている。
【００３７】
図１，２に示す様に、各接続部６ａ，６ｂ，６ｃ，６ｄ，６ｅを並列に接続する第１線
９２が設けられている。各スイッチ３ａ，３ｂ，３ｃ，３ｄ，３ｅの制御端子（ゲートの
こと）を並列に接続する第２線９３が設けられている。
【００３８】
第１線９２の端は、電源部１３が出力する駆動電圧Ｖ１の出力端子に接続されている。
第２線９３の端は、第１線９２の所定部分９４に接続されている。
【００３９】
なお、図１では、スイッチ群３と、制御部１２は別々に示されている。しかし、スイッ
チ群３と、制御部１２とを、１つの集積回路素子にて、構成しても良い。
【００４０】
制御部１２は、各外部信号Ｓ１をデジタル的に信号処理し、デジタルＲＧＢ表示データ
Ｄ（Ｒ，Ｇ，Ｂ）と、タイミング信号Ｓ２、即ち、水平クロック信号ＣＬＫ、ストローブ
信号ＳＴＲＢ、極性反転信号ＰＯＬ、およびスタートパルス信号ＥＩＳを、それぞれ信号
線駆動部１５へ供給する。
【００４１】
制御部１２は、走査線駆動部１６に対し、タイミング信号Ｓ３、即ち、スタートパルス
ＦＬＭ、垂直クロック信号ＣＰＶ、ゲートイネーブル信号ＯＥを供給する。
【００４２】
制御部１２の一具体例を、図３に従い、説明する。制御部１２は、クロック信号の入力
端子（図示せず）と、データイネーブル信号ＤＥの入力端子３４と、ＲＧＢ各６ビットの
デジタル画像データＲＤ，ＧＤ，ＢＤの入力端子３５と、ドットクロック信号ＤＯＴＣＬ
Ｋの入力端子３６と、垂直同期信号ＶＳの入力端子３２と、水平同期信号ＨＳの入力端子
３３等を有している。
【００４３】
制御部１２は、デジタルＲＧＢ表示データＤ（Ｒ，Ｇ，Ｂ）の出力端子４３と、水平ク
ロック信号ＣＬＫの出力端子４４と、ストローブ信号ＳＴＲＢの出力端子４０と、極性反
転信号ＰＯＬの出力端子４１と、スタートパルス信号ＥＩＳの出力端子４２と、制御信号
Ｎ１，Ｎ２，Ｎ３の出力端子５６等を有している。
【００４４】
各入力端子３４，３５，３６，３２，３３は、各静電気保護回路７ａ，７ｂ，７ｃ，７
ｄ，７ｅを介して、各出力端子３４ａ，３５ａ，３６ａ，３２ａ，３３ａに接続されてい
る。
【００４５】
出力端子３２ａ，３３ａ，３４ａは、前処理部４５に接続されている。出力端子３５ａ
は、データシフト５５に接続されている。出力端子３６ａは、出力端子４４に接続されて
いる。
【００４６】
図３に示す様に、制御部１２の内部には、大きく分けて前処理部４５と、データイネー
ブル信号ＤＥカウンタ４６と、水平同期信号ＨＳＹＮＣカウンタ４７と、ドットクロック
信号ＤＯＴＣＬＫカウンタ４８を備えている。
【００４７】
前処理部４５からの出力信号と、ＤＥカウンタ４６の出力信号と、ＨＳＹＮＣカウンタ
４７の出力信号と、ＤＯＴＣＬＫカウンタ４８の出力信号とにより、スタートパルス出力
手段（ＦＬＭ生成回路４９）において、スタートパルスＦＬＭ信号が生成され、ＤＯＴＣ
ＬＫカウンタ４８の出力信号により、ＣＰＶ生成回路５０において、垂直クロック信号Ｃ
ＰＶが生成される。
【００４８】
また、ＤＯＴＣＬＫカウンタ４８の出力信号により、ＯＥ生成回路５１によりゲートイ
ネーブル信号ＯＥが、ストローブ生成回路５２によりストローブ信号ＳＴＲＢが生成され
る。ＰＯＬ生成回路５３により極性反転信号ＰＯＬが生成され、ＥＩＳ生成回路５４によ
りスタートパルス信号ＥＩＳが生成される。
【００４９】
また、デジタル画像データＲＤ，ＧＤ，ＢＤは、データシフト回路５５において処理さ
れて、デジタルＲＧＢ表示データＤ（Ｒ，Ｇ，Ｂ）として出力される。更に、駆動電圧Ｖ
１用の入力端子５８が設けられている。
【００５０】
また、制御部１２に設けられた信号生成部５７に対し、特定信号Ｘおよび液晶表示装置
１内で生成されたクロック信号（図示せず）入力される。信号生成部５７は、特定信号Ｘ
の入力開始時点または入力停止時点から、クロック信号をカウントする事により、複数の
制御信号、即ち、第１制御信号Ｎ１，第２制御信号Ｎ２，第３制御信号Ｎ３を生成する。
【００５１】
これらの前処理部４５と、ＤＥカウンタ４６と、ＨＳＹＮＣカウンタ４７と、ＤＯＴＣ
ＬＫカウンタ４８と、ＯＥ生成回路５１と、ストローブ生成回路５２と、ＰＯＬ生成回路
５３と、ＥＩＳ生成回路５４と、データシフト回路５５等の構成は、従来の制御部におけ
る構成と実質的に相違はなく、動作原理も同様であるので、詳細な説明は省略する。
【００５２】
但し、特定信号Ｘおよび液晶表示装置１内で生成されたクロック信号が、信号生成部５
７に入力されている点と、静電気保護回路７ａ〜７ｅが設けられた点が、従来の制御部と
の相違点である。
【００５３】
電源電圧ＶＩＮは電源部１３に入力されている（図１参照）。電源部１３は、供給され
た電源電圧ＶＩＮ（例えば１２ボルト）を基に、液晶表示装置１内で使用される各種の電
圧を生成する。例えば、制御部１２のロジック部と、信号線駆動部１５のロジック部と、
走査線駆動部１６のロジック部に対して、駆動電圧Ｖ１を生成する。
【００５４】
また、電源部１３は、ガンマ補正部（図示せず）に対して、基準電圧ＶＣＯＭ１および
ＶＣＯＭ２と、共通電圧ＶＣＯＭを生成する。
【００５５】
更に、電源部１３は、信号線駆動部１５の非ロジック部（例えば出力部）に対して、所
定の電圧ＶＧＥＮを生成する。電源部１３は、走査線駆動部１６の非ロジック部（例えば
出力部）に対して、高電圧ＶＧＨおよび低電圧ＶＧＬを生成する。電源部１３は、液晶パ
ネル１１の共通電極に印加するための共通電圧ＶＣＯＭを生成する。
【００５６】
ガンマ補正部は、電源部１３から供給された基準電圧ＶＣＯＭ１およびＶＣＯＭ２を抵
抗分圧することにより、階調基準電圧ＶＧＭ１〜ＶＧＭ１０(図示せず)を生成し、信号線
駆動部１５へ供給する。
【００５７】
信号線駆動部１５は、１８ビットラッチ、シフトレジスタ、サンプリングメモリ、ホー
ルドメモリ、レベルシフタ、分圧回路、ＤＡ変換器、出力部（いずれも図示せず）を備え
ている。
【００５８】
制御部１２から信号線駆動部１５へ入力された表示データを構成する各６ビットのデー
タＤ（Ｒ，Ｇ，Ｂ）は、信号線駆動部１５内のラッチにおいて時分割で、内部にラッチさ
れる。
【００５９】
そして、信号線駆動部１５内のサンプリングメモリ、ホールドメモリ、レベルシフタを
経て、水平同期信号ＨＳに同期して発生されるスタートパルスＥＩＳに基づいて、分圧回
路からの基準電圧を基に、ＤＡ変換器により、ＤＡ変換が行われる。
【００６０】
このことにより、ガンマ補正されたアナログ電圧（階調電圧）が発生され、出力バッフ
ァ（出力部）を経て、液晶パネル１１のＹ１〜Ｙｎ（図示せず）からなるｎ本の信号線１
７に供給される。
【００６１】
また、制御部１２から走査線駆動部１６へ供給された垂直同期信号ＶＳに同期し発生さ
れるクロック信号ＣＰＶと、スタートパルスＦＬＭは、走査線駆動部１６により処理され
る。そして走査信号は、液晶パネル１１のＸ１〜Ｘｍ（図示せず）からなるｍ本の走査線
１８に供給される。
【００６２】
次に、図４に従い、電源部１３を説明する。図４において、電源部１３は電源電圧検知
回路６０と、スイッチングレギュレータ６１と、電源ＩＣ６２とを有している。更に電源
部１３は、スイッチングレギュレータ６３と、スイッチ部６４と、変換回路６５と、スイ
ッチ部６６と、スイッチングレギュレータ６７と、スイッチ部６８を有している。
【００６３】
電源電圧検知回路６０は、電源電圧ＶＩＮが所定値（例えば、直流１２ボルト）以上に
なると、電圧ＶＣＣ（例えば、直流１４ボルト）を出力する。そして、電源電圧検知回路
６０は、電源電圧ＶＩＮが所定値未満になると、電圧ＶＣＣの出力を停止する。
【００６４】
スイッチングレギュレータ６１は電源電圧検知回路６０に接続され、電圧ＶＣＣが入力
される。スイッチングレギュレータ６１は電源ＩＣ６２に接続され、ＰＷＭ制御信号Ｐ１
が入力される。スイッチングレギュレータ６１は上記信号Ｐ１により、駆動電圧Ｖ１（３
．３ボルト）を出力する。
【００６５】
これらの電源電圧検知回路６０と、電源ＩＣ６２と、スイッチングレギュレータ６１と
により、駆動電圧変換部６９が構成されている。駆動電圧変換部６９は、駆動電圧Ｖ１を
出力するものである。
【００６６】
また、図示していないが、発振器は、駆動電圧変換部６９の出力側に接続され、駆動電
圧Ｖ１が供給されている。この様に、発振器が発振するクロック信号は、電源部１３が出
力する駆動電圧Ｖ１と、殆ど同時に立ち上がり、駆動電圧Ｖ１と、殆ど同時に立ち下がる
様に、構成されている。
【００６７】
スイッチングレギュレータ６３は電源電圧検知回路６０に接続され、電圧ＶＣＣが入力
される。スイッチングレギュレータ６３は電源ＩＣ６２に接続され、ＰＷＭ制御信号Ｐ２
が入力される。スイッチングレギュレータ６３は上記信号Ｐ２により、５ボルトを出力す
る。
【００６８】
これらの電源電圧検知回路６０と、電源ＩＣ６２と、スイッチングレギュレータ６３と
により、電圧（例えば５ボルト）を出力するための電圧変換部７０が構成されている。
【００６９】
スイッチ部６４は例えばＭＯＳＦＥＴ等からなる。スイッチ部６４は、電圧変換部７０
の出力側に接続されている。スイッチ部６４の制御端子は、第２制御信号Ｎ２が入力され
る。
【００７０】
第２制御信号Ｎ２がロウレベルの時、スイッチ部６４は開成し、電圧変換部７０は電圧
を出力しない。第２制御信号Ｎ２がハイレベルの時、スイッチ部６４は閉成し、電圧変換
部７０は、所定の電圧ＶＧＥＮ（５ボルト）を出力する。
【００７１】
変換回路６５は例えば、チャージポンプと安定化回路等からなり、スイッチングレギュ
レータ６３に接続されている。
【００７２】
上記電源電圧検知回路６０と、電源ＩＣ６２と、スイッチングレギュレータ６３と、変
換回路６５とにより、電圧（例えば１５ボルト）を出力するための電圧変換部７１が構成
されている。
【００７３】
スイッチ部６６は例えばＭＯＳＦＥＴ等からなる。スイッチ部６６は、電圧変換部７１
の出力側に接続されている。スイッチ部６６の制御端子は、第３制御信号Ｎ３が入力され
る。
【００７４】
第３制御信号Ｎ３がロウレベルの時、スイッチ部６６は開成し、電圧変換部７１は電圧
を出力しない。第３制御信号Ｎ３がハイレベルの時、スイッチ部６６は閉成し、電圧変換
部７１は、高電圧ＶＧＨ（１５ボルト）を出力する。
【００７５】
スイッチングレギュレータ６７は電源電圧検知回路６０に接続され、電圧ＶＣＣが入力
される。スイッチングレギュレータ６７は電源ＩＣ６２に接続され、ＰＷＭ制御信号Ｐ３
が入力される。スイッチングレギュレータ６７は上記信号Ｐ３により、−１５ボルトを出
力する。
【００７６】
上記電源電圧検知回路６０と、電源ＩＣ６２と、スイッチングレギュレータ６７とによ
り、電圧（例えば−１５ボルト）を出力するための電圧変換部７２が構成されている。
【００７７】
スイッチ部６８は例えばＭＯＳＦＥＴ等からなる。スイッチ部６８は、電圧変換部７２
の出力側に接続されている。スイッチ部６８の制御端子は、第１制御信号Ｎ１が入力され
る。
【００７８】
第１制御信号Ｎ１がロウレベルの時、スイッチ部６８は開成し、電圧変換部７２は電圧
を出力しない。第１制御信号Ｎ１がハイレベルの時、スイッチ部６８は閉成し、電圧変換
部７２は、低電圧ＶＧＬ（−１５ボルト）を出力する。以上の部品により、電源部１３は
構成されている。
【００７９】
次に、再び図１ないし図４に従い、液晶表示装置１の動作を説明する。最初に、使用者
（ユーザ）は、例えば、ナビゲーション本体に設けられたスタートボタン（図示せず）を
押したものとする。
【００８０】
スタートボタンが設けられた入力手段（共に図示せず）は、信号源（図示せず）に接続
されている。その結果、最初に、入力部２に対して、外部信号Ｓ１が入力されたとする。
【００８１】
この時、駆動電圧Ｖ１は未だゼロボルトであるので、各スイッチ３ａ，３ｂ，３ｃ，３
ｄ，３ｅは、オフ状態である。従って、制御部１２の入力端子３４，３５，３６，３２，
３３には、外部信号Ｓ１は入力されていない。その結果、静電気保護回路７ａ〜７ｅにお
いて、入力電圧はゼロボルトであるので、過電流が流れず、破損しない。
【００８２】
また、スタートボタンが設けられた入力手段は、電源回路（共に図示せず）に接続され
ている。電源回路は所定の電源を直流１２ボルトに変換するものである。そこで、上記外
部信号ＳＩの入力の後に、入力部２を介して、電源部１３に対して、電源電圧ＶＩＮ（直
流１２ボルト）が入力したものとする。
【００８３】
電源部１３において、電圧ＶＣＣ（１４ボルト）が生成され、駆動電圧変換部６９によ
り、駆動電圧Ｖ１が立ち上がり、ハイレベルとなる。
【００８４】
この時、電源部１３は、スイッチ群３と、制御部１２と、信号線駆動部１５と、走査線
駆動部１６に対し、駆動電圧Ｖ１を出力する。また、この時、クロック信号は、駆動電圧
Ｖ１と殆ど同時に立ち上がる。
【００８５】
駆動電圧Ｖ１が立ち上がると、第１線９２を介して、制御部１２内の接続部６ａ〜６ｅ
は一斉に、駆動電圧Ｖ１が与えられる。
【００８６】
それと同時に、第２線９３を介して、各スイッチ３ａ〜３ｅの制御端子（ゲート）に、
駆動電圧Ｖ１が与えられる。その結果、接続部６ａ〜６ｅに対する駆動電圧Ｖ１の入力時
点から、少し遅れて（各スイッチ３ａ〜３ｅの特性により）、各スイッチ３ａ〜３ｅはオ
ン状態となる。
【００８７】
その結果、制御部１２に対し、各外部信号Ｓ１が入力を開始される。この時、既に、接
続部６ａ〜６ｅには、電源電圧Ｖ１が入力されている。故に、入力端子３４から、接続部
６ａに対し、過電流が流れない（図２参照）。従って、従来の様に、静電気保護回路７ａ
〜７ｅが破損される事を防止できる。
【００８８】
なお、上記説明と異なり、入力部２に対し、各外部信号Ｓ１よりも、電源電圧ＶＩＮ，
即ち、駆動電圧Ｖ１が先に入力された場合、最初に、接続部６ａ〜６ｅに対して、駆動電
圧Ｖ１が入力される。
【００８９】
その後、外部信号Ｓ１が入力端子３２〜３６に対し、入力されても、電流が流れないの
で、静電気保護回路７ａ〜７ｅが破損される事を防止できる。
【００９０】
この様に、制御部１２に対し、特定信号Ｘと、画像データＲＤ，ＧＤ，ＢＤが入力され
る。即ち、この時、制御部１２は、特定信号Ｘの入力開始を検知する。
【００９１】
この時、制御部１２内に設けられた信号生成部５７は、クロック信号の数をカウントし
始める。
【００９２】
制御部１２は、上記カウント数が所定値に達すると（即ち、特定信号Ｘの入力開始を検
知した時点から所定の時間間隔をおいて）、第１制御信号Ｎ１を立ち上がらせ、電源部１
３へ出力する。
【００９３】
電源部１３は、第１制御信号Ｎ１の立ち上がり（ハイレベルになる）に応じて、スイッ
チ部６８を閉成し、走査線駆動部１６に対して、低電圧ＶＧＬ（−１５ボルト）を出力す
る。
【００９４】
その後、制御部１２は、信号線駆動部１５に対して、表示データＤ（Ｒ，Ｇ，Ｂ）と、
水平クロック信号ＣＬＫと、極性反転信号ＰＯＬと、ストロ−ブ信号ＳＴＲＢと、スター
トパルス信号ＥＩＳを出力する。
【００９５】
制御部１２は、第１制御信号Ｎ１の立ち上がり時点から、所定の時間間隔をおいて、第
２制御信号Ｎ２を立ち上がらせ、電源部１３へ出力する。
【００９６】
電源部１３は、第２制御信号Ｎ２の立ち上がり（ハイレベルになる）に応じて、スイッ
チ部６４を閉成し、信号線駆動部１５に対して、所定の電圧ＶＧＥＮ（５ボルト）を出力
する。
【００９７】
その後、制御部１２は走査線駆動部１６に対し、スタートパルスＦＬＭ、垂直クロック
信号ＣＰＶ、ゲートイネーブル信号ＤＥを出力する。
【００９８】
制御部１２は、第２制御信号Ｎ２の立ち上がり時点から、所定の時間間隔をおいて、第
３制御信号Ｎ３を立ち上がらせ、電源部１３へ出力する。
【００９９】
電源部１３は、第３制御信号Ｎ３の立ち上がり（ハイレベルになる）に応じて、スイッ
チ部６６を閉成し、走査線駆動部１６に対して、高電圧ＶＧＨ（１５ボルト）を出力する
。
【０１００】
その結果、液晶パネル１１において、表示データＤ（Ｒ，Ｇ，Ｂ）による表示が開始さ
れる。
【図面の簡単な説明】
【０１０１】
【図１】本発明の実施例に係る液晶表示装置１のブロック図である。
【図２】上記装置１に用いられる静電気保護回路７ａの回路図である。
【図３】上記装置１に用いられる制御部１２のブロック図である。
【図４】上記装置１に用いられる電源部１３のブロック図である。
【符号の説明】
【０１０２】
３  スイッチ群
１１  液晶パネル
１２  制御部
１３  電源部
１５  信号線駆動部
１６  走査線駆動部
１７  信号線
１８  走査線
【図１】
2007256587.tif 000003
【図２】
2007256587.tif 000004
【図３】
2007256587.tif 000005
【図４】
2007256587.tif 000006